(57)【要約】【課題】蓋部材を収納部材に対して左右どちらの方向に回動させても開蓋動作を行うことができるようにする。【解決手段】一端が開放され、その周囲に口部４を有する収納部材２と、口部４と重なり合う蓋部材３と、からなっている。蓋部材３の内周面には、被ガイド部を兼ねたロック部２３が設けられている。収納部材２の口部４の外周面には、ロック部２３が着脱可能に係止されるロック受部１４が設けられている。更に、収納部材２の口部４の外周面に、被ガイド部２３を摺動可能にガイドするガイド部１３を設けた。【選択図】図１
2010023909.tif 000002
【特許請求の範囲】
【請求項１】
一端が開放され、その周囲に口部を有する略円筒形状の収納部材と、
前記口部に重なり合う蓋部材と、からなる収納容器において、
前記蓋部材の内周面に設けられた被ガイド部を兼ねたロック部と、
前記収納部材の口部の外周面に設けられ、前記ロック部が着脱可能に係止されるロック受部と、
前記口部の外周面に設けられ、前記被ガイド部を摺動可能にガイドするガイド部と、
を備えたことを特徴とする収納容器。
【請求項２】
前記ガイド部の形状が前記口部の開放端部に対して略左右対称に形成されている
ことを特徴とする請求項１に記載の収納容器。
【請求項３】
前記ガイド部の形状が前記ロック受部を中心として対称に形成されている
ことを特徴とする請求項１又は２に記載の収納容器。
【請求項４】
前記ガイド部は、前記口部の開放端部に対して傾斜する第１のガイド面部と、前記口部の開放端部に対して前記第１のガイド面部の傾斜方向と反対方向に傾斜する第２のガイド面部とを有する
ことを特徴とする請求項１〜３のいずれかに記載の収納容器。
【請求項５】
前記被ガイド部を前記ロック部と別個に設けた、
ことを特徴とする請求項１〜４に記載の収納容器。
【請求項６】
前記ロック受部は、前記ガイド部の一部を切り欠くことにより前記ガイド部と一体に形成した
ことを特徴とする請求項１〜５のいずれかに記載の収納容器。
【請求項７】
前記ガイド部は、前記口部の外周面から突出する複数の略三角形状の凸部である
ことを特徴とする請求項１〜６のいずれかに記載の収納容器。
【発明の詳細な説明】
【技術分野】
【０００１】
本発明は、収納部材とこの収納部材に重なり合う蓋部材からなる収納容器に関し、特に蓋部材と収納部材の開閉構造に関するものである。
【背景技術】
【０００２】
従来の収納容器の開閉構造としては、例えば、特許文献１に記載されているようなものがある。特許文献１には、構成部材に設けた螺子のような断面隆起状部を互いに摩擦係止させて締結させる締結装置に関するものが記載されている。
【０００３】
この特許文献１に開示されている締結装置は、２つの構成部材を備え、一方の構成部材に対して他方の構成部材が所定の位置関係を保持している。そして、一方の構成部材には、所定のリード角を有する少なくとも２個の断面隆起状部が設けられている。また、他方の構成部材には、一方の構成部材に設けた断面隆起状部が係止される少なくとも２個の断面隆起状部が設けられている。他方の構成部材に設けた少なくとも２個の断面隆起状部のうち少なくともの１個の断面隆起状部は、一方の構成部材に設けた断面隆起状部のリード角とは異なったリード角を有している。
【０００４】
そして、両構成部材を互いに対向して接近するように移動させることで、リード角の異なった断面隆起状部が摩擦係止する。このようにして特許文献１に記載されている締結装置は、２つの構成部材を一体に固定している。
【特許文献１】特開２００４−１２５０６９号公報
【発明の開示】
【発明が解決しようとする課題】
【０００５】
しかしながら、特許文献１に記載された締結装置は、２つの構成部材に設けた断面隆起状部が同一の方向に傾斜している。そのため、２つの構成部材の締結を解除するには、構成部材を断面隆起状部が傾斜した１つの方向に構成部材を回動しなければならず、ユーザが開け易い方向を選択することができない、という不具合があった。その結果、締結の解除方向を忘れた場合には、左回りと右回りの２つの方向それぞれを確認しなければならず、開蓋動作が大変煩わしいものであった。
【０００６】
本発明の目的は、上述の問題点を考慮し、蓋部材を収納部材に対して左右どちらの方向に回動させても開蓋動作を行うことができる収納容器を提供することにある。
【課題を解決するための手段】
【０００７】
上述課題を解決し、本発明の目的を達成するため、本発明の収納容器は、一端が開放され、その周囲に口部を有する略円筒形状の収納部材と、口部に重なり合う蓋部材と、からなっている。そして、蓋部材の内周面に設けられた被ガイド部を兼ねたロック部とを備えている。更に、収納部材の口部の外周面に設けられ、ロック部が着脱可能に係止されるロック受部と、口部の外周面に設けられ、被ガイド部を摺動可能にガイドするガイド部とを備えた。
【発明の効果】
【０００８】
本発明の収納容器によれば、蓋部材に設けた被ガイド部を摺動可能にガイドするガイド部を収納部材に設けたことにより、蓋部材を収納部材に対して左右どちらの方向に回動させても開蓋動作を行うことができる。
【発明を実施するための最良の形態】
【０００９】
以下、本発明の収納容器の実施形態の例について、図１〜図２７を参照して説明する。なお、各図において共通の部材には、同一の符号を付している。また、本発明は、以下の形態に限定されるものではない。
【００１０】
１．第１の実施の形態
［収納容器の構成例］
まず、図１〜図６を参照して本発明の収納容器の第１の実施形態の例について説明する。図１は本発明の収納容器の第１の実施形態の例（以下、「本例」という。）を示す分解斜視図、図２は収納容器の斜視図、図３は収納容器の断面図である。図４は収納容器に係る収納部材の要部を拡大して示す斜視図、図５は、蓋部材と収納部材の開閉動作を説明する説明図、図６は、突起部とロック受部１４の係止状態を断面して示す説明図である。
【００１１】
図１〜図３に示す本例に係る収納容器１は、例えば液状の化粧品を収納する液体化粧料容器である。収納容器１は、一面が開口された容器状の収納部材２と、この収納部材２の開口を閉じるように重なり合う蓋部材３とから構成されている。そして、図２に示すように、この収納容器１は、蓋部材３を収納部材２に重ね合わせた状態で中空の略円柱形状をなしている。
【００１２】
［収納部材］
収納部材２は、中空の略円柱形に形成されており、一端が開放されて、他端が閉じている。収納部材２は、略円筒状の口部４と、口部４から連続して設けられた収納部６と、収納部６の周囲を覆う脚部７から構成されている。
【００１３】
口部４は、略円筒状に形成されている。口部４は、軸方向の一端に開放端部８を有し、軸方向の他側に段差部１１を有している。そして、口部４における段差部１１と開放端部８の間に、ガイド部１３と、ロック受部１４が配設されている。
【００１４】
ガイド部１３は、口部４の外周から突出する６つの第１のガイド部１３ａと６つの第２のガイド部１３ｂとから構成されている。第１のガイド部１３ａは、略三角形状の凸部であり、口部４の開放端部８に対して略左右対称に形成されている。そして、この６つの第１のガイド部１３ａは、口部４の周方向に沿って等角度間隔（略６０度間隔）に連続して配設されている。そして、６つの第１のガイド部１３ａは、段差部１１側の２つの頂点が隣り合う２つのガイド部１３ａの段差部１１側の頂点と接続されている。これにより、６つの第１のガイド部１３ａは、全体として略波形状に突出した凸部として形成されている。そして、第１のガイド部１３ａは、第１のガイド面部１７ａと、第２のガイド面部１７ｂを有している。
【００１５】
第１のガイド面部１７ａは、口部４から略垂直に連続する第１のガイド部１３ａの一側の側壁である。この第１のガイド面部１７ａは、口部４の開放端部８に対して傾斜している。また、第２のガイド面部１７ｂは、口部４から略垂直に連続する第１のガイド部１３ａの他側の側壁である。この第２のガイド面部１７ｂは、口部４の開放端部に対して第１のガイド面部１７ａの傾斜方向と反対方向に傾斜している。そして、第２のガイド面部１７ｂの一端は、隣り合う第１のガイド部１３ａにおける第１のガイド面部１７ａの一端と後述するロック受部１４を介して接続している。
【００１６】
第２のガイド部１３ｂは、略五角形状の凸部である。この６つの第２のガイド部１３ｂは、口部４の周方向に沿って略等間隔に配設されている。そして、６つの第２のガイド部１３ｂは、６つの第１のガイド部１３ａと交互に配置されている。この第２のガイド部１３ｂは、第３のガイド面部１７ｃを有している。第３のガイド面部１７ｃは、口部４から略垂直に連続する第２のガイド部１３ｂの側壁である。
【００１７】
また、図１及び図４に示すように、ロック受部１４は、隣り合う２つの第１のガイド部１３ａが接続する箇所に設けられている。即ち、ロック受部１４を中心として第１のガイド部１３ａが対称に形成されている。このロック受部１４は、第１のガイド面部１７ａ及び第２のガイド面部１７ｂと段差部１１の距離が一番近くなる位置に配設されている。そして、このロック受部１４は、所定の間隔を開けて配置された２つの膨出部１８，１８から構成されている。２つの膨出部１８，１８は、それぞれ第１のガイド面部１７ａ及び第２のガイド面部１７ｂの側壁から第２のガイド部１３ｂに向けて膨出している。
【００１８】
図３Ａ及び図３Ｃに示すように、口部４の段差部１１の下側に、収納部６が配置されている。収納部６は、口部４の開放端部８と反対方向に略半球状に膨出し、中空のドーム状に形成されている。この収納部６と口部４で形成する空間に、例えば、液状の化粧品等の被収納物が貯留される。そして、収納部６の外周を覆うように略円筒状の脚部７が配設されている。脚部７は、口部４の段差部１１の下側から連続して形成されている。そして、この脚部７は、落下等の外部からの衝撃力を吸収することが可能である。その結果、脚部７によって、収納部６が外部からの衝撃力で破損することを防止し又は抑制することができる。そして、このような構成を有する収納部材２に蓋部材３が取り付けられる。
【００１９】
［蓋部材］
蓋部材３は、中空の略円柱形状をなしており、一端が開放されて、他端が閉じている。蓋部材３は、略円盤状の上面部３ａと、上面部３ａの外縁から略垂直をなして連続する側面部３ｂを有している。そして、側面部３ｂは、円筒状に形成されている。蓋部材３は、側面部３ｂの直径が収納部材２の口部４の直径と略等しく、或いは僅かに大きくなるように設定されている。これにより、図２及び図３Ａに示すように、蓋部材３を収納部材２に重ね合わせたときに、蓋部材３の側面部３ｂが収納部材２の口部４の外周を覆うように口部４と重なり合う。
【００２０】
蓋部材３の上面部３ａの内面には、例えば、略円盤状のシリコンゴムが貼り付けられる。これにより、蓋部材３を収納部材２に重ね合わせた際に、収納部材２の開放端部８が蓋部材３のシリコンゴムに押し込まれる。その結果、蓋部材３と収納部材２との密閉性を高めることが可能である。
【００２１】
また、蓋部材３は、側面部３ｂの内周面に、本発明のロック部の一具体例を示す３つの突起２３，２３，２３が配設されている。３つの突起２３，２３，２３は、側面部３ｂの内周面に略等角度間隔（略１２０度間隔）に配置されている。突起２３は、略半球状をなしており、側面部３ｂの内周面から突出している。そして、突起２３の直径は、ロック受部１４を構成する２つの膨出部１８，１８の間隔と略等しくなるように設定されている。
【００２２】
更に、３つの突起２３，２３，２３は、本発明の被ガイド部としての役割を兼ねている。そのため、この３つの突起２３，２３，２３は、蓋部材３と収納部材２の開閉動作の際に、収納部材２に設けたガイド部１３の第１〜第３のガイド面部１７ａ〜１７ｃ上を摺動する。また、３つの突起２３，２３，２３は、蓋部材３と収納部材２を重ね合わせた際に、収納部材２に設けたロック受部１４に係止される。
【００２３】
このような構成を有する収納部材２及び蓋部材３は、例えば、高分子材料からなるエンジニアリングプラスチック等を射出成型することにより形成される。なお、収納部材２及び蓋部材３の材質としては、エンジニアリングプラスチックが好適であるが、エンジニアリングプラスチック以外に金属やガラス等を用いてもよいことは勿論である。
【００２４】
［開閉動作の説明］
次に、図１及び図４〜図６を参照して、このような構成を有する収納容器１における収納部材２と蓋部材３の開閉動作について説明する。
まず、図１に示すように、収納部材２における口部４の開放端部８の上方に、蓋部材３における側面部３ｂの開放側を臨ませる。次に、蓋部材３を収納部材２の開口を閉じるように重ね合わせる。これにより、図５Ａに示すように、第１のガイド部１３ａの第１のガイド面部１７ａ又は第２のガイド面部１７ｂに、蓋部材３に設けた突起２３が当接する。
【００２５】
次に、図４及び図５Ｂに示すように、蓋部材３を収納部材２の段差部１１側へ押し込むと、突起部２２の突起２３は、第１のガイド部１３ａの第１のガイド面部１７ａ又は第２のガイド面部１７ｂに沿って摺動する。その結果、蓋部材３は、突起２３が第１のガイド面部１７ａに当接した場合には、第１のガイド面部１７ａの傾斜に沿って収納部材２に対して左回りに回動する。これに対し、蓋部材３は、突起２３が第２のガイド面部１７ｂに当接した場合には、第２のガイド面部１７ｂの傾斜に沿って収納部材２に対して右回りに回動する。
【００２６】
なお、図４に示すように、蓋部材３と収納部材２の重ね合わせる位置によって、突起２３は、第２のガイド部１３ｂの第３のガイド面部１７ｃに当接する場合がある。この場合においても、突起２３は、第３のガイド面部１７ｃに沿って摺動し、第１のガイド面部１７ａ又は第２のガイド面部１７ｂにガイドされる。これにより、蓋部材３を収納部材２に対してどのような位置に重ね合わせても、確実に蓋部材３を第１〜第３のガイド部１３ａ〜１３ｃでガイドすることができる。その結果、ユーザは、収納部材２と蓋部材３の位置合わせを行うことなく、極めて容易に収納部材２と蓋部材３を重ね合わせることが可能である。
【００２７】
そして、更に蓋部材３を押し込むと、図４、図５Ｃ、図５Ｄ及び図６に示すように、突起２３は、第１のガイド面部１７ａ又は第２のガイド面部１７ｂに設けた膨出部１８を乗り越えて、２つの膨出部１８，１８の間に嵌り込む。これにより、突起２３が、ロック受部１４に着脱可能に係止される。即ち、突起２３は、第１のガイド部１３ａと第２のガイド部１３ｂの間に介在されるように係止される。その結果、蓋部材３と収納部材２の閉蓋作業が完了し、蓋部材３を収納部材２に取り付けることができる。なお、突起２３が膨出部１８を乗り越えて、２つの膨出部１８，１８の間に嵌り込むときに、クリック感やクリック音が発生する。このクリック感やクリック音によって、ユーザは、蓋部材が収納部材に係止されたこと、又は係止が解除されたことを確認することができる。
【００２８】
また、蓋部材３の３つの突起２３が収納部材２に設けたロック受部１４に係止されることで、蓋部材３と収納部材２の締結力を高めることが可能となる。これにより、収納部材２の口部４や蓋部材３の側面部３ｂに液状の収納物が付着したり、外部からの衝撃力の入力等によって、蓋部材３が緩むことを防止し又は抑制することができる。
【００２９】
更に、本発明の収納容器１は、突起２３が第１のガイド部１３ａ及び／又は第２のガイド部１３ｂに沿って摺動することで、蓋部材３が、収納部材２に対し所定の位置関係を保持した状態で移動する。その結果、蓋部材３を収納部材２に対して上方から押し込むだけで、簡単に取り付けることができる。
【００３０】
次に、収納部材２から蓋部材３を取り外す場合は、まず蓋部材５３を収納部材５２に対して左又は右回りに回動させる。これにより、突起２３とロック受部１４の係止状態が解除される。そして、蓋部材３に設けた突起２３が、第１のガイド部１３ａの第１のガイド面部１７ａ又は第２のガイド面部１７ｂに沿って摺動する。その結果、蓋部材３は、収納部材２から離反する方向に移動し、蓋部材３を収納部材２から外すことができる。
【００３１】
ここで、収納部材２には、第１のガイド面部１７ａとこの第１のガイド面部１７ａの傾斜方向と反対方向に傾斜した第２のガイド面部１７ｂが設けられている。そして、ロック受部１４の２つの膨出部１８，１８は、それぞれ第１のガイド面部１７ａと第２のガイド面部１７ｂに設けられている。更に、第１のガイド部１３ａは、第１のガイド面部１７ａと第２のガイド面部１７ｂがロック受部１４を中心として略左右対称に形成されている。
【００３２】
これにより、蓋部材３を収納部材２に対して左右どちらの方向に回動させても、突起２３とロック受部１４の係止状態を解除することができ、更に突起２３を第１のガイド面部１７ａ又は第２のガイド面部１７ｂに沿って移動させることができる。そのため、ユーザは、蓋部材３を取り外す際に、蓋部材３の回動方向を選択する必要がない。その結果、ユーザは、開け易い方向に蓋部材３を回して、開蓋動作を行うことが可能である。
【００３３】
また、ロック部２４がロック受部１４を乗り越える際にクリック感やクリック音が発生する。これにより、蓋部材３を取り外す場合おいてもクリック感やクリック音が発生するため、ユーザは、蓋部材３と収納部材２の係止が解除されたことを確認することができる。
【００３４】
なお、本例では、蓋部材３におけるロック部及び被ガイド部を構成する突起２３の数を３つとしたが、突起２３の数は、２つ或いは４つ以上設けてもよいことは勿論である。なお、突起２３の数と配置は、蓋部材３を収納部材２にバランスよく取り付けるために、略等間隔で、且つ中心に対してそれぞれ略等角度に少なくとも３つ設けることが好ましい。
【００３５】
また、突起２３の数は、ガイド部１３の数及びロック受部１４の数に応じて適宜設定されるものである。そして、バランスよく蓋部材３と収納部材２を重ね合わせるために、突起２３の数は、ガイド部１３の数及びロック受部１４の数の約数に設定されることが好ましい。これに対し、ガイド部１３の数及びロック受部１４の数は、突起２３の数の倍数に設定されることが好ましい。
【００３６】
２．第２の実施の形態
［収納容器の構成例］
次に、図７〜図１０を参照して本発明の収納容器の第２の実施形態の例について説明する。図７は本発明の収納容器の第２の実施形態の例を示す分解斜視図、図８は収納容器の断面図、図９は収納容器に係る収納部材の要部を拡大して示す斜視図である。図１０は、蓋部材と収納部材の開閉動作を説明する説明図である。
【００３７】
この第２の実施形態の例に係る収納容器３０と上述した第１の実施形態の例に係る収納容器１と異なる点は、ガイド部及びロック受部１４の形状である。なお、第２の実施形態の例に係る収納容器１と同様の構成、特に蓋部材３については同一の符号を付し、その説明を省略する。
【００３８】
［収納部材］
図７及び図８に示すように、この第２の実施形態の例に係る収納容器３０における収納部材３２は、第１の実施形態の例に係る収納容器１と同様に、口部３４と、収納部３６と、脚部３７を有している。そして、口部３４における開放端部３８と段差部４１の間にガイド部４３が配設されている。
【００３９】
ガイド部４３は、第１のガイド部４３ａと第２のガイド部４３ｂとから構成されている。第１のガイド部４３ａは、略三角形状の凸部である。そして、この６つの第１のガイド部４３ａは、口部３４の周方向に沿って等角度間隔（略６０度間隔）に連続して配設されている。これにより、６つの第１のガイド部４３ａは、全体として略波形状に突出した凸部として形成されている。この第１のガイド部４３ａは、第１のガイド面部４７ａと第２のガイド面部４７ｂを有している。
【００４０】
第１のガイド面部４３ａは、第１のガイド部４３ａに形成された２つの傾斜面のうちの一方の傾斜面である。第２のガイド面部４７ｂは、第１のガイド部４３ａに形成された２つの傾斜面のうちの他方の傾斜面である。この第２のガイド面部４７ｂは、開放端部３８に対して第１のガイド面部４３ａの傾斜方向と反対方向に傾斜している。そのため、第１のガイド部４３ａは、口部３４の開放端部３８に対して略左右対称に形成されている。なお、この実施の形態に係る第１のガイド部４３ａは、上述した第１の実施の形態に係る第１のガイド部１３ａよりも開放端部３８に対してその傾斜が緩やかに設定されている。
【００４１】
第２のガイド部４３ｂは、略菱形をなす凸部である。この６つの第２のガイド部４３ｂは、口部３４の周方向に沿って略等間隔に配設されている。そして、６つの第２のガイド部４３ｂは、６つの第１のガイド部４３ａと交互に配置されている。この第２のガイド部４３ｂは、第３のガイド面部４７ｃを有している。第３のガイド面部４７ｃは、口部３４から略垂直に連続する第２のガイド部４３ｂの側壁である。
【００４２】
また、図７及び図９に示すように、隣り合う２つの第１のガイド部４３ａが接続する位置と第２のガイド部４３ｂにおける段差部４１側の頂点で挟む空間に、ロック受部４４が設けられている。即ち、このロック受部４４を中心として略対称に第１のガイド部４３が形成されている。このロック受部４４は、第１の実施形態と同様に、第１のガイド面部４７ａ及び第２のガイド面部４７ｂと段差部４１の距離が一番近くなる位置に配設されている。ロック受部４４は、２つの係止片４８，４８から構成されている。２つの係止片４８，４８は、所定の間隔を開けて口部３４の外周面から突出しいる。そして、図９及び図１０に示すように、この２つの係止片４８，４８の間に突起２３が着脱可能に係止される。
【００４３】
その他の構成は、上述した第１の実施の形態にかかる収納容器１と同様であるため、それらの説明は省略する。このような、構成を有する収納容器３０によっても、上述した第１の実施の形態にかかる収納容器１と同様の作用及び効果を得ることができる。また、この実施の形態に係る収納容器３０の収納部材２と蓋部材３の開閉動作は、上述した第１の実施の形態に係る収納容器１と同様であるため、その説明は省略する。
【００４４】
３．第３の実施の形態
［収納容器の構成例］
次に、図１１〜図１６を参照して本発明の収納容器の第３の実施形態の例について説明する。図１１は、本発明の収納容器の第３の実施形態の例を示す分解斜視図、図１２は、収納容器の断面図、図１３は、蓋部材を収納部材に取り付けた状態を断面して示す説明図である。図１４は、収納部材の要部を拡大して示す説明図、図１５は、収納部材と蓋部材の要部を拡大して示す説明図、図１６は、蓋部材と収納部材の開閉動作を説明する説明図である。
【００４５】
図１１及び図１２に示すように、この第３の実施形態の例に係る収納容器５０は、被ガイド部をロック部と別個に設けたものである。収納容器５０は、上述した第１の実施形態の例に係る収納容器１と同様に、収納部材５２と蓋部材５３から構成されている。
【００４６】
［収納部材］
収納部材５２は、口部５４と、収納部５６と、脚部５７を有している。口部５４は、４つのガイド部６３とロック受部６４を有している。４つのガイド部６３は、口部５４の外周面において、その周方向に略等角度間隔（略９０度間隔）に配置されている。この４つのガイド部６３は、それぞれ略三角形状をなす凸部であり、開放端部５８に対して略左右対称に形成されている。このガイド部６３は、第１のガイド面部６７ａと第２のガイド面部６７ｂを有している。
【００４７】
第１のガイド面部６７ａは、ガイド部６３における開放端部５８側の２つの傾斜面のうちの一方の傾斜面である。第２のガイド面部６７ｂは、ガイド部６３における開放端部５８側の２つの傾斜面のうちの他方の傾斜面である。この第２のガイド面部６７ｂは、開放端部５８に対して第１のガイド面部６７ａの傾斜方向と方向に傾斜している。
【００４８】
なお、ガイド部６３の数は、３つ以下或いは５つ以上設けてもよい。そして、バランスよく蓋部材５３をガイドするためには、ガイド部６３を口部５４の周方向に沿って略等角度間隔に配置することが好ましい。
【００４９】
４つのガイド部６３と段差部６１の間にロック受部６４が設けられている。ロック受部６４は、口部５４の外周面において、その周方向に沿って連続して設けられたリング状の突条である。また、図１２Ｃに示すように、開放端部５８には、その端面を一周するように溝部６２が連続して形成されている。溝部６２は、断面形状が略三角形状になるように凹んでいる。
【００５０】
［蓋部材］
蓋部材５３は、側面部５３ｂの内周面に被ガイド部７３と、４つのロック部７４とを有している。被ガイド部７３は、側面部５３ｂの内周面の周方向に沿って８つの山部７３ａと谷部７３ｂが交互に連続する鋸歯状の段差部である。また、被ガイド部７３は、蓋部材５３の開口に対して略左右対称に形成されている。図１５に示すように、この被ガイド部７３は、谷部７３ｂの形状が収納部材５２に設けたガイド部６３の形状と対応している。そして、被ガイド部７３は、開閉動作の際に、ガイド部６３の第１のガイド面部６７ａ又は第２のガイド面部６７ｂに当接し、且つ第１のガイド面部６７ａ又は第２のガイド面部６７ｂ上を摺動する。
【００５１】
４つのロック部７４は、側面部５３ｂの内周面における開口部の近傍に配設されている。この４つのロック部７４は、側面部５３ｂの内周面に略等間隔で、且つそれぞれ中心に対して略等角度に配置されている。４つのロック部７４は、それぞれ側面部５３ｂの周方向に延びる凸部である。そして、図１３及び図１４に示すように、この４つのロック部７４は、蓋部材５３と収納部材５２の口部５４を重ね合わせたときに、口部５４に設けたロック受部６４に係止される。これにより、蓋部材５３と収納部材５２の締結力を高めることができ、蓋部材５３を収納部材５２から外れ難くすることが可能である。
【００５２】
なお、本例では、ロック部７４の数を４つとしたが、ロック部７４の数は、３つ以下或いは５つ以上設けてもよい。また、ロック部７４の数と配置は、蓋部材と収納部材の締結状態のバランスを考慮すると、略等間隔で且つ略等角度に少なくとも３つ設けることが好ましい。
【００５３】
また、図１２Ｂに示すように、蓋部材５３の上面部５３ａの内面には、側面部５３ｂの近傍に沿って円環状に配置された凸条部７１が設けられている。凸条部７１は、断面形状が略三角形状に形成されており、上面部５３ａの内面から下方に向けて突出している。そして、図１２Ａ及び図１３に示すように、この凸条部７１は、蓋部材５３を収納部材５２に重ね合わせたときに、口部５４の開放端部５８に設けた溝部６２と嵌合する。これにより、蓋部材５３と収納部材５２との密閉性を高めることができる。
【００５４】
なお、被ガイド部７３の山部７３ａ及び谷部７３ｂの数は、収納部材５２に設けたガイド部６３の数に応じて適宜設定されるものである。そして、バランスよく蓋部材５３と収納部材５２を重ね合わせるために、被ガイド部７３の谷部７３ｂの数は、ガイド部６３の数及の倍数に設定されることが好ましい。これに対し、ガイド部６３の数は、被ガイド部７３の谷部７３ｂの数の倍数に設定されることが好ましい。
【００５５】
［開閉動作の説明］
次に、図１２〜図１６を参照して、このような構成を有する収納容器５１における収納部材５２と蓋部材５３の開閉動作について説明する。
まず、蓋部材５３を収納部材５２に取り付ける場合では、図１６Ａに示すように、蓋部材５３を収納部材５２の開口を閉じるように重ね合わせる。これにより、ガイド部６３の第１のガイド面部６７ａ又は第２のガイド面部６７ｂに、蓋部材５３に設けた被ガイド部７３が当接する。
【００５６】
そして、蓋部材５３を上方から押し込むと、図１３、図１６Ｂ及び図１６Ｃに示すように、被ガイド部７３は、ガイド部６３の第１のガイド面部６７ａ又は第２のガイド面部６７ｂ上を摺動する。その結果、蓋部材５３は、被ガイド部７３がガイド部６３の第１のガイド面部６７ａに当接した際には、第１のガイド面部６７ａの傾斜に沿って収納部材５２に対して左回りに回動する。また、蓋部材５３は、被ガイド部７３がガイド部６３の第２のガイド面部６７ｂに当接した際には、第２のガイド面部６７ｂの傾斜に沿って収納部材５２に対して右回りに回動する。
【００５７】
これにより、蓋部材５３を収納部材５２に対してどのような位置においても確実に被ガイド部７３をガイド部６３でガイドすることができる。その結果、ユーザは、収納部材５２と蓋部材５３の位置合わせを行うことなく、極めて容易に収納部材５２と蓋部材５３を重ね合わせることが可能である。
【００５８】
次に、蓋部材５３のロック部７４が収納部材５２のロック受部６４に当接する。この状態で、更に蓋部材５３を押し込むと、図１４、図１５及び図１６Ｄに示すように、ロック部７４が、ロック受部６４に嵌り込むと共に、ガイド部６３が被ガイド部７３の谷部７３ｂに嵌り込む。これにより、ロック部７４とロック受部６４が着脱可能に係止される。また、図１２Ａに示すように、蓋部材５３に設けた凸条部７１が収納部材５２に設けた溝部６２と嵌合する。これにより、蓋部材３と収納部材２との密閉性を高まることができる。
【００５９】
また、４つのロック部７４が、突条であるロック受部６４を乗り越える際に、クリック感やクリック音が発生する。このクリック感やクリック音によって、ユーザは、蓋部材が収納部材に係止されたことを確認することができる。その結果、蓋部材５３と収納部材５２の閉蓋作業が完了し、蓋部材５３を収納部材５２に取り付けることができる。
【００６０】
次に、蓋部材５３の取り外し作業は、例えば次のようにして行われる。まず、蓋部材５３を収納部材５２に対して左又は右回りに回動させる。これにより、蓋部材５３の被ガイド部７３がガイド部６３の第１のガイド面部６７ａ又は第２のガイド面部６７ｂに沿って摺動する。その結果、蓋部材５３が、ガイド部６３の第１のガイド面部６７ａ又は第２のガイド面部６７ｂに沿って収納部材５２から離反する方向に移動し、ロック部７４とロック受部６４の係止が解除される。そして、蓋部材５３を上方に持ち上げる。これにより、蓋部材５３を収納部材５２から取り外すことができる。
【００６１】
その他の構成は、上述した第１の実施の形態にかかる収納容器１と同様であるため、それらの説明は省略する。このような、構成を有する収納容器５０によっても、上述した第１の実施の形態にかかる収納容器１と同様の作用及び効果を得ることができる。
【００６２】
４．第４の実施の形態
［収納容器の構成例］
次に、図１７〜図１９を参照して本発明の収納容器の第４の実施形態の例について説明する。図１７は本発明の収納容器の第４の実施形態の例を示す分解斜視図、図１８は収納容器の断面図、図１９は収納容器に係る収納部材の正面図及び側面図である。
【００６３】
図１７及び図１８Ａ及び図１８Ｂに示すように、この第４の実施形態の例に係る収納容器８０は、上述した第１の実施形態の例に係る収納容器１と同様に、収納部材８２と、蓋部材８３とから構成されている。
【００６４】
［収納部材］
収納部材８２は、口部８４と、収納部８６と、脚部８７を有している。そして、口部８４における開放端部８８と段差部９１の間に４つのガイド部９３と、ロック受部９４が配設されている。
【００６５】
図１７及び図１９Ａに示すように、４つのガイド部９３は、口部８４の周方向に沿って等角度間隔（略９０度間隔）に配設されている。ガイド部９３は、段差部９１から開放端部８８側へ突出する略三角形状をなす凸部であり、開放端部８８に対して略左右対称に形成されている。このガイド部９３は、第１のガイド面部９７ａと第２のガイド面部９７ｂを有している。
【００６６】
第１のガイド面部９７ａは、ガイド部９３における開放端部８８側の２つの傾斜面のうちの一方の傾斜面である。第２のガイド面部９７ｂは、ガイド部９３における開放端部８８側の２つの傾斜面のうちの他方の傾斜面である。この第２のガイド面部９７ｂは、開放端部８８に対して第１のガイド面部９７ａの傾斜方向と反対方向に傾斜している。また、図１７及び図１９Ｂに示すように、４つのガイド部９３における開放端部８８側の頂点直上にロック受部９４が設けられている。
【００６７】
なお、ガイド部９３の数は、３つ以下或いは５つ以上設けてもよい。そして、バランスよく蓋部材８３をガイドするためには、ガイド部９３を口部８４の周方向に沿って略等角度間隔に配置することが好ましい。
【００６８】
ロック受部９４は、口部８４における開放端部８８と段差部９１の略中間に位置している。ロック受部９４は、口部８４の周方向に沿って連続してリング状に凹んだ凹部である。そして、このような構成を有する収納部材８２に蓋部材８３が重なり合う。
【００６９】
［蓋部材］
蓋部材８３は、側面部８３ｂの内周面に被ガイド部１０３と、２つのロック部１０４とを有している。被ガイド部１０３は、側面部８３ｂの中央より開口側に配置されている。被ガイド部１０３は、側面部８３ｂの内周面の周方向に沿って１２の山部１０３ａと谷部１０３ｂが交互に連続する鋸歯状の段差部である。この被ガイド部１０３は、谷部１０３ｂの形状が収納部材８２に設けたガイド部９３の形状と対応している。そして、被ガイド部１０３は、開閉動作の際に、ガイド部９３の第１のガイド面部９７ａ又は第２のガイド面部９７ｂに当接し、且つ第１のガイド面部９７ａ又は第２のガイド面部９７ｂ上を摺動する。その結果、蓋部材８３を左又は右どちらの方向に回動させても開蓋動作を行うことができる。
【００７０】
また、被ガイド部１０３における谷部１０３ｂの上面部８３ａ側には、２つのロック部１０４が設けられている。２つのロック部１０４は、側面部８３ｂの周方向に沿って所定の長さで延在する凸部である。図１８Ａに示すように、このロック部１０４は、断面形状が略三角形状をなしている。そして、図１８Ｂに示すように、この２つのロック部１０４は、蓋部材８３と収納部材８２を重ね合わせたときに、口部８４に設けたロック受部９４に係止される。これにより、蓋部材８３と収納部材８２の締結力を高めることができ、蓋部材８３を収納部材８２から外れ難くすることが可能である。
【００７１】
なお、この第４の実施の形態例においても前述した第３の実施の形態例と同様に、被ガイド部１０３の山部１０３ａ及び谷部１０３ｂの数は、収納部材８２に設けたガイド部９３の数に応じて適宜設定されるものである。そして、バランスよく蓋部材８３と収納部材８２を重ね合わせるために、被ガイド部１０３の谷部１０３ｂの数は、ガイド部９３の数及の倍数に設定されることが好ましい。これに対し、ガイド部９３の数は、被ガイド部１０３の谷部１０３ｂ数の倍数に設定されることが好ましい。
【００７２】
その他の構成は、上述した第１の実施の形態にかかる収納容器１と同様であるため、それらの説明は省略する。このような、構成を有する収納容器１によっても、上述した第１の実施の形態にかかる収納容器１と同様の作用及び効果を得ることができる。
【００７３】
５．第５の実施の形態
［収納容器の構成例］
次に、図２０〜図２１を参照して本発明の収納容器の第５の実施形態の例について説明する。図２０は本発明の収納容器の第５の実施形態の例を示す分解斜視図、図２１は蓋部材及び収納部材の断面図である。
【００７４】
この第５の実施形態の例に係る収納容器５０Ａは、上述した第３の実施形態の例に係る収納容器５０に第２のロック部及び第２のロック受部を設けると共に被ガイド部の形状を変形したものである。即ち、図２０及び図２１に示すように、収納容器５０Ａは、収納部材５２Ａと、蓋部材５３Ａから構成されている。
【００７５】
［収納部材］
収納部材５２Ａは、４つのガイド部６３Ａのそれぞれに第２のロック受部６５Ａが設けられている。第２のロック受部６５Ａは、ガイド部６３Ａの略中央部に配設されている。そして、この第２のロック受部６５Ａは、口部５４Ａの周方向に延びる突条であり、断面形状が略台形状に形成されている。
【００７６】
［蓋部材］
蓋部材５３Ａは、被ガイド部７３Ａと、ロック部７４と、第２のロック部７５Ａを有している。被ガイド部７３Ａは、山部７３ａＡと谷部７３ｂＡが交互に連続する鋸歯状の段差部である。そして、被ガイド部７３Ａは、３つの山部７３ａＡと２つの谷部７３ｂＡが側面部５３ｂＡの周方向に所定の間隔を開けて２箇所に分けて設けられている。
【００７７】
第２のロック部７５Ａは、被ガイド部７３Ａにおける谷部７３ｂＡの略中央に配置されており、隣り合う２つの山部７３ａＡを接続している。第２のロック部７５Ａは、側面部５３ｂＡの周方向に沿って延びる突条であり、断面形状が略台形状に形成されている。そして、第２のロック部７５Ａは、蓋部材５３Ａと収納部材５２Ａを重ね合わせた際に、収納部材５２Ａに設けた第２のロック受部６５Ａに着脱可能に係止される。これにより、この第５の実施の形態に係る収納容器５０Ａによれば、前述した第３の実施の形態に係る収納容器５０よりも更に、蓋部材５３Ａと収納部材５２Ａの締結力を高めることができ、蓋部材５３Ａを収納部材５２Ａから外れ難くすることができる。
【００７８】
その他の構成は、上述した第３の実施形態の例に係る収納容器５０と同様の構成であるため、同一の符号を付し、それらの説明を省略する。このような、構成を有する収納容器５０Ａによっても、上述した第１の実施の形態にかかる収納容器１と同様の作用及び効果を得ることができる。
【００７９】
なお、本発明は上述しかつ図面に示した実施の形態に限定されるものではなく、特許請求の範囲に記載した発明の要旨を逸脱しない範囲内で種々の変形実施が可能である。
【図面の簡単な説明】
【００８０】
【図１】本発明の収納容器の第１の実施の形態を示す分解斜視図である。
【図２】本発明の収納容器の第１の実施の形態を示す斜視図である。
【図３】本発明の収納容器の第１の実施の形態を示す断面図であり、図３Ａは蓋部材と収納部材を重ねた状態を示す断面図、図３Ｂは蓋部材を示す断面図、図３Ｃは収納部材を示す断面図である。
【図４】本発明の収納容器の第１の実施の形態に係る収納部材の要部を拡大して示す斜視図である。
【図５】本発明の収納容器の第１の実施の形態に係る蓋部材と収納部材の開閉作業を示す説明図である。
【図６】本発明の収納容器の第１の実施の形態に係るロック部とロック受部の係止状態を断面して示す説明図である。
【図７】本発明の収納容器の第２の実施の形態を示す分解斜視図である。
【図８】本発明の収納容器の第２の実施の形態を示す断面図であり、図８Ａは蓋部材と収納部材を重ねた状態を示す断面図、図８Ｂは収納部材を示す断面図である。
【図９】本発明の収納容器の第２の実施の形態に係る収納部材の要部を拡大して示す斜視図である。
【図１０】本発明の収納容器の第２の実施の形態に係る蓋部材と収納部材の開閉作業を示す説明図である。
【図１１】本発明の収納容器の第３の実施の形態を示す分解斜視図である。
【図１２】本発明の収納容器の第３の実施の形態を示す断面図であり、図１２Ａは蓋部材と収納部材を重ねた状態を示す断面図、図１２Ｂは蓋部材を示す断面図、図１２Ｃは収納部材を示す断面図である。
【図１３】本発明の収納容器の第３の実施の形態に係るロック部とロック受部の係止状態を断面して示す説明図である。
【図１４】本発明の収納容器の第３の実施の形態に係る収納部材の要部を拡大して示す斜視図である。
【図１５】本発明の収納容器の第３の実施の形態に係る収納部材及び蓋部材の要部を拡大して示す斜視図である。
【図１６】本発明の収納容器の第３の実施の形態に係る蓋部材と収納部材の開閉作業を示す説明図である。
【図１７】本発明の収納容器の第４の実施の形態を示す分解斜視図である。
【図１８】本発明の収納容器の第４の実施の形態を示す断面図であり、図１８Ａは蓋部材を示す断面図、図１８Ｂは蓋部材と収納部材を重ねた状態を示す断面図である。
【図１９】本発明の収納容器の第４の実施の形態に係る収納部材を示すもので、図１９Ａは正面図、図１９Ｂは側面図である。
【図２０】本発明の収納容器の第５の実施の形態を示す分解斜視図である。
【図２１】本発明の収納容器の第５の実施の形態を示す断面図であり、図２１Ａは蓋部材を示す断面図、図２１Ｂは収納部材を示す断面図である。
【符号の説明】
【００８１】
１，３０，５０，８０，５０Ａ…収納容器、  ２，３２，５２，８２，５２Ａ…収納部材、  ３，５３，８３，５３Ａ…蓋部材、  ３ａ…上面部、  ３ｂ…側面部、  ４…口部、  ６…収納部、  ７…脚部、  ８…開放端部、  １１…段差部、  １２…溝部、  １３，６３，９３，６３Ａ…ガイド部、  １３ａ，４３ａ，…第１のガイド部、  １３ｂ，４３ｂ…第２のガイド部、  １４，４４，６４，９４，６４Ａ…ロック受部、  １７ａ，４７ａ，６７ａ，９７ａ，６７ａＡ…第１のガイド面部、  １７ｂ，４７ｂ，６７ｂ，９７ｂ，６７ｂＡ…第２のガイド面部、  １８…膨出部、  ２３…突起（ロック部、被ガイド部）、  ４８…係止片、  ７３，１０３，７３Ａ…被ガイド部、  ７３ａ，７３ａＡ…山部、  ７３ｂ，７３ｂＡ…谷部、  ７４，１０４，７４Ａ…ロック部、  ６５Ａ…第２のロック受部、  ７５Ａ…第２のロック部
【図１】
2010023909.tif 000003
【図２】
2010023909.tif 000004
【図３】
2010023909.tif 000005
【図４】
2010023909.tif 000006
【図５】
2010023909.tif 000007
【図６】
2010023909.tif 000008
【図７】
2010023909.tif 000009
【図８】
2010023909.tif 000010
【図９】
2010023909.tif 000011
【図１０】
2010023909.tif 000012
【図１１】
2010023909.tif 000013
【図１２】
2010023909.tif 000014
【図１３】
2010023909.tif 000015
【図１４】
2010023909.tif 000016
【図１５】
2010023909.tif 000017
【図１６】
2010023909.tif 000018
【図１７】
2010023909.tif 000019
【図１８】
2010023909.tif 000020
【図１９】
2010023909.tif 000021
【図２０】
2010023909.tif 000022
【図２１】
2010023909.tif 000023